【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  気体を濃縮添加した流体の準備をするための装置であって、この装置が
気体を過剰飽和させた液体を含有している第１の流体を供給する手段と、
第２の流体を供給するための手段と、
第１の流体と第２の流体を結合させて、気体を濃縮添加した流体を作成する手段とを有している、装置。
【請求項２】  前記結合手段が、前記第１の流体を供給するための手段および前記第２の流体を供給するための手段と流体導通状態にある中央管腔を備えているカテーテルを有している、請求項１に記載の装置。
【請求項３】  前記第１の流体が酸素を過剰飽和させた流体を含む、請求項１に記載の装置。
【請求項４】  気体を濃縮添加した流体の準備をするための装置であって、この装置が
第１の管腔および第２の管腔を備えているアセンブリを有しており、
第１の管腔が第１の流体の供給源と流体導通状態にあり、
第２の管腔が、気体を過剰飽和させた流体の第２の流体の供給源および第１の管腔と流体導通状態にある、装置。
【請求項５】  前記第２の流体が酸素を過剰飽和させた流体を含む、請求項４に記載の装置。
【請求項６】  前記アセンブリの一部が患者の体内で取り外し自在に挿入可能である、請求項４に記載の装置。
【請求項７】  前記気体を濃縮添加した流体が生理溶液である、請求項４に記載の装置。
【請求項８】  前記気体を濃縮添加した流体が血液を含む、請求項４に記載の装置。
【請求項９】  前記気体を濃縮添加した流体が酸素を濃縮添加した血液を含む、請求項４に記載の装置。
【請求項１０】  前記気体を濃縮添加した流体が酸素を過剰飽和させた流体と血液とを含む、請求項４に記載の装置。
【請求項１１】  前記気体を濃縮添加した流体が血液代用物を含む、請求項４に記載の装置。
【請求項１２】  前記気体を濃縮添加した流体が血液血漿を含む、請求項４に記載の装置。
【請求項１３】  気体を濃縮添加した流体を或る場所へ搬送するための装置であって、この装置が、
近位端および遠位端を有している長手の略管状部材と、近位端と遠位端との間に切れ目のない流体流路を設けている管腔とを有している第１のアセンブリを有しており、遠位端が、気体を濃縮添加した流体が搬送されるべき場所に近接して配置され、装置が
第１端および第２端を有している少なくとも１つの長手の略管状部材と、第１端と第２端との間に切れ目のない流体流路を設けている少なくとも１つの管腔とを有している第２のアセンブリを有しており、第２端が第１のアセンブリの管腔内に配置され、第２のアセンブリの第１端が第１の流体の供給源に連結され、第１の流体が気体を過剰飽和させた流体を含み、第１のアセンブリの近位端が第２の流体の供給源に連結されている、装置。
【請求項１４】  前記第２のアセンブリが複数の長手の略管状部材を有しており、各部材が第１端および第２端と、第１端と第２端の間で切れ目の無い流体路を設けている少なくとも１つの管腔とを有しており、第２端が第２のアセンブリの管腔内に配置されている、請求項１３に記載の装置。
【請求項１５】  前記第２のアセンブリの管腔が、約２０ミクロンと１０００ミクロンの間の内径を有している、請求項１３に記載の装置。
【請求項１６】  前記第２のアセンブリの管腔が、約１００ミクロンと１２５ミクロンの間の内径を有している、請求項１３に記載の装置。
【請求項１７】  前記遠位端を有している前記第１のアセンブリの少なくとも１部が、患者の体内で取り外し自在に挿入可能である、請求項１３に記載の装置。
【請求項１８】  前記取り外し自在に挿入可能である部分が、肉体接近ポートを通して挿入可能である、請求項１７に記載の装置。
【請求項１９】  流体の酸素レベルを増大させるための装置であって、この装置が、
第１の流体の供給源を供与する手段と、
気体を過剰飽和させた液体を含んでいる第２の流体の供給源を供与する手段と、
第１の管腔および第２の管腔を有しているアセンブリとを有しており、第１の管腔が第１の流体の供給源手段と流体導通状態にあり、第２の管腔が第２の流体の供給源および第１の管腔と流体導通状態にある、装置。
【請求項２０】  前記第１の流体が血液を含む。請求項１９に記載の装置。
【請求項２１】  前記増大した酸素レベルが、血中の溶解酸素のレベルである、請求項２０に記載の装置。
【請求項２２】  前記増大した酸素レベルが、酸素担体の酸素飽和レベルである、請求項１９に記載の装置。
【請求項２３】  前記酸素担体がヘモグロビンである、請求項２２に記載の装置。
【請求項２４】  前記酸素担体が血液代用物である、請求項２２に記載の装置。
【請求項２５】  前記増大した酸素レベルが血中酸素濃度である、請求項２０に記載の装置。
【請求項２６】  前記増大した酸素レベルが酸素の血液分圧である、請求項２０に記載の装置。
【請求項２７】  第１の流体の供給源を供与する前記手段が、患者の肉体から血液を引き出すための手段を有している、請求項１９に記載の装置。
【請求項２８】  カテーテルが、
近位端および遠位端を有している第１の長手の略管状部材を有しており、第１の部材が、近位端と遠位端との間に切れ目の無い流体路を設けている管腔を有しており、カテーテルが
近位端および遠位端を有している第２の長手の略管状部材を更に有しており、第２の部材が、第２の部材の近位端と、第１の部材の近位端と遠位端との間の流体路との間に切れ目の無い流体路を設けている管腔を有している、カテーテル。
【請求項２９】  カテーテルが、
近位端および遠位端を有している第１の長手の略管状部材を有しており、第１の部材が、近位端と遠位端との間に切れ目の無い流体路を設けている管腔を有しており、カテーテルが
複数の脇部材を更に有しており、脇部材は各々が、近位端および遠位端を有している長手の略管状部材を有しており、脇部材が第１の部材に連結され、脇部材の各々が、脇部材の近位端と、第１の部材の近位端と遠位端との間の流体路との間に切れ目の無い流体路を設けている管腔を有している、カテーテル。
【請求項３０】  第１の流体を第２の気体を過剰飽和させた流体と結合させる装置であって、この装置が
第１端および第２端を有している第１の流体路と、第１端および第２端を有している第２の流体路とを有しているハウジングを有しており、第２の流体路の第２端が第１の流体路の第１端と第２端との間の接合部で第１の流体路と交差しており、第１の流体路の第１端が、第２の気体を過剰飽和させた流体を供給するための第１のラインを受容するようにしており、第２の流体路の第１端が第１の流体の供給源を受容するようにしており、第１のラインが第１の流体路の実質的に層流をなす流れ領域に位置決めされた出口を有している、装置。
【請求項３１】  前記第１の流体路の前記第２端が第１のカテーテルの近位端を受容するようにしており、第１のカテーテルが、第１の流体と第２の気体を過剰飽和させた流体との結合物を患者の肉体内部の或る場所へ搬送するために患者の肉体の内部に位置決めされるようにした、請求項３０に記載の装置。
【請求項３２】  前記第１のラインが、前記第１の流体路内部で前記第１のラインを支持するための複数のウイングを有している、請求項３０に記載の装置。
【請求項３３】  前記第１の流体路が、前記第２の流体路に対して鋭角で合流している、請求項３０に記載の装置。
【請求項３４】  前記第１の流体が血液を含んでおり、前記第２の流体が酸素を過剰飽和させた流体を含んでいる、請求項３０に記載の装置。
【請求項３５】  前記第１の流体を前記第２の流体路に供給するように連結されたポンプを更に有している、請求項３０に記載の装置。
【請求項３６】  近位端および遠位端を有している第２のカテーテルを有しており、近位端が前記ポンプの入り口に連結され、遠位端が、患者の肉体からポンプまで前記第１の流体を搬送するために、患者の体内に位置決めされるようにし、装置が、第１の流体を前記第２の流体路へ搬送するために、ポンプの出口と第２の流体路の第１端との間で連結された管を更に有している、請求項３５に記載の装置。
【請求項３７】  前記第１のカテーテルの遠位端に近接して配置されたマイクロバブル検出装置を更に有している、請求項３６に記載の装置。
【請求項３８】  気体を濃縮添加した流体を作成するための方法であって、
第１の流体の供給源を設ける工程と、
第１の流体の供給源を気体を過剰飽和させた流体と結合させて、気体を濃縮添加した流体を作成する工程とを含んでいる、方法。
【請求項３９】  前記第１の流体が血液を含む、請求項３８に記載の方法。
【請求項４０】  前記気体を過剰飽和させた流体が酸素を過剰飽和させた流体を含む、請求項３８に記載の方法。
【請求項４１】  前記第１の流体が血液代用物を含む、請求項３８に記載の方法。
【請求項４２】  前記気体を濃縮添加した流体が酸素を濃縮添加した生理的液体を含む、請求項３８に記載の方法。
【請求項４３】  気体を濃縮添加した流体を作成する方法であって、この方法が、
（ａ）第１の流体路を通して第１の流体を流す工程と、
（ｂ）第２の流体路を通して第２の気体を過剰飽和させた流体を流す工程と、
（ｃ）前記第１の流体路と前記第２の流体路との間の交差点で、第１の流体を第２の気体を過剰飽和させた流体と結合させて、気体を濃縮添加した流体を作成する工程とを含んでいる、方法。
【請求項４４】  前記工程（ａ）が、前記第１の流体路を前記第１の流体の供給源に連結する工程を含んでいる、請求項４３に記載の方法。
【請求項４５】  前記第１の流体が血液を含んでいる、請求項４３に記載の方法。